(57)【要約】【課題】ボーナスゲーム内部当りが発生したにもかかわらず、目押しのできない遊技者に、停止ボタンを押すタイミングを指示することの可能なスロットマシンの提供を目的とする。【解決手段】スロットマシン１は、ゲームが開始されると、複数の回胴４１，４２，４３が回転を開始するとともに、所定のタイミングで内部当り抽選部が内部当りの抽選を行うスロットマシンであって、内部当り抽選部において内部当りに当選すると、回胴がボーナスゲーム当り図柄で揃うように、回胴を停止させる停止ボタン５１，５２，５３を押下するタイミングを、ランプ光やストップ音で遊技者に指示する。【選択図】　　　図６
2004073513.tif 000002
【特許請求の範囲】
【請求項１】
ゲームが開始されると、複数の回胴が回転を開始するとともに、所定のタイミングで内部当り抽選部が内部当りの抽選を行うスロットマシンであって、
前記内部当り抽選部においてボーナスゲームの内部当りに当選すると、前記回胴がボーナスゲーム当り図柄で揃うように、前記回胴を停止させる停止ボタンを押下するタイミングを、遊技者に指示する押下タイミング指示手段を具備したことを特徴とするスロットマシン。
【請求項２】
前記押下タイミング指示手段として、光発生器，音声発生器，及び／又は振動発生器を用いたことを特徴とする請求項１記載のスロットマシン。
【請求項３】
前記押下タイミング指示手段が、押下タイミングを指示する際、前記遊技者に準備を促す光，音声，及び／又は振動を含む準備タイミング信号を出力することを特徴とする請求項２記載のスロットマシン。
【請求項４】
押下タイミングを指示された遊技者の反応時間の遅れを調整する時間調整回路を備えたことを特徴とする請求項１〜３のいずれかに記載のスロットマシン。
【請求項５】
前記押下タイミング指示手段を作動／停止する切替えスイッチを備えたことを特徴とする請求項１〜４のいずれかに記載のスロットマシン。
【発明の詳細な説明】
【０００１】
【発明の属する技術分野】
本発明は、スロットマシンに関し、特に、ボーナスゲームの内部当りに当選した際、ボーナスゲーム当り図柄が揃うように、遊技者に停止ボタンを押下するタイミングを指示して、遊技者の目押し行為を補助するスロットマシンに関する。
【０００２】
【従来の技術】
スロットマシンは、通常、ゲームが開始されると、内部当り抽選部がボーナスゲームの内部当りの抽選を行う。そして、内部当りに当選すると、特定パターンの図柄を出現させたり、あるいは、告知ランプを点灯させるなどして、遊技者に内部当りに当選したことを告知する。
【０００３】
そして、この告知により内部当りに当選していることを知った遊技者は、例えば、「７・７・７」によるビッグボーナスゲームや，「ＢＡＲ，ＢＡＲ，ＢＡＲ」によるレギュラーボーナスゲームといったボーナスゲームを連続して獲得できる入賞配列を目指して、回転している図柄を見ながらタイミングを計って、停止ボタンを押している。そして、当選ライン上にボーナスゲーム当り図柄を揃えると、所定回数のボーナスゲームを行うことができる。
【０００４】
このため、遊技者は、内部当りに当選すると、いわゆる「目押し」を行う。
「目押し」とは、回転している回胴の図柄を見ながら、任意の図柄を当選ライン上に停止させるためのタイミングを計って停止ボタンを押すことをいう。
また、回胴は、外周に約２０もの図柄が描かれており、約０．８秒で一回転する。このため、目押しは、動体視力や反射神経などが優れている人ほど容易に習得することができる。
【０００５】
ところで、スロットマシンの遊技者にとって、自由意志により停止ボタンを押すタイミングを選択できることは、パチンコゲームと異なる大きな魅力の一つである。また、内部当りに当選したとき、目押しによって、ボーナスゲーム当り図柄を揃えることは、スロットマシンゲームにおいて、最も緊張してゲームを行うことができる大切な瞬間である。
このように、スロットマシンは、目押しのできる遊技者に対して、より大きなスロットマシンゲームの興奮を与えることができる。
【０００６】
【発明が解決しようとする課題】
しかしながら、初心者や動体視力の衰えたお年寄りの遊技者にとっては、目押しを行うことは容易なことではなかった。このため、内部当りに当選しても、当り図柄を当選ライン上に揃えることができず、メダルを多く使用したり、あるいは、周囲の人の助力を求めたりしなければならない場合もあり、スロットマシンゲームにおける最大の楽しみを満喫することができなかった。
【０００７】
本発明は、上述した従来の技術が有する問題を解決するために提案されたものであり、内部当りに当選したとき、目押しのできない遊技者に、停止ボタンを押すタイミングを指示することの可能なスロットマシンの提供を目的とする。
【０００８】
【課題を解決するための手段】
上記目的を達成するため本発明の請求項１記載のスロットマシンは、ゲームが開始されると、複数の回胴が回転を開始するとともに、所定のタイミングで内部当り抽選部が内部当りの抽選を行うスロットマシンであって、前記内部当り抽選部においてボーナスゲームの内部当りに当選すると、前記回胴がボーナスゲーム当り図柄で揃うように、前記回胴を停止させる停止ボタンを押下するタイミングを、遊技者に指示する押下タイミング指示手段を具備した構成としてある。
このようにすると、初心者や動体視力の弱いお年寄りの遊技者であっても、当選ライン上にボーナスゲーム当り図柄を容易に揃えることができ、目押しができないために、遊技意欲を失ったり、スロットマシンを敬遠するといった事態を回避することができる。
【０００９】
また、本発明の請求項２記載のスロットマシンは、前記押下タイミング指示手段として、光発生器，音声発生器，及び／又は振動発生器を用いた構成としてある。
このようにすると、遊技者は、視覚，聴覚及び／又は触覚を通じて、停止ボタンを押下するタイミングを容易に知ることができる。
【００１０】
また、本発明の請求項３記載のスロットマシンは、前記押下タイミング指示手段が、押下タイミングを指示する際、前記遊技者に準備を促す光，音声，及び／又は振動を含む準備タイミング信号を出力する構成としてある。
このようにすると、遊技者は、より簡単にかつ精度よく、所定のボーナスゲーム当り図柄を揃えることができる。
【００１１】
また、本発明の請求項４記載のスロットマシンは、押下タイミングを指示された遊技者の反応時間の遅れを調整する時間調整回路を備えた構成としてある。
このようにすると、遊技者は、スロットマシンからの押下タイミングの指示に応じて、普通に停止ボタンを押すだけで、ボーナスゲーム当り図柄を揃えることができる。
【００１２】
また、本発明の請求項５記載のスロットマシンは、前記押下タイミング指示手段を作動／停止する切替えスイッチを備えた構成としてある。
このようにすると、目押しのできる遊技者は、押下タイミング指示手段を使用しないで、慣れ親しんだ方法で遊技することができる。
【００１３】
【発明の実施の形態】
以下、本発明のスロットマシンの好ましい実施形態について、図面を参照して説明する。
【００１４】
［第一実施形態］
図１は、本発明の第一実施形態にかかるスロットマシンの概略正面図を示している。
また、図２は、第一実施形態にかかるスロットマシンの目押し補助機能を説明するための概略ブロック図を示している。
図１に示すように、本実施形態にかかるスロットマシン１は、内部当り抽選部（図示せず）において、ボーナスゲームの内部当りに当選すると、第一〜第三の回胴４１，４２，４３がボーナスゲーム当り図柄の揃うタイミングで、停止ボタン５１，５２，５３に内蔵された内蔵ランプ５１ａ，５２ａ，５３ａを点滅させることによって、停止ボタン５１，５２，５３を押すタイミングを、視覚を通じて遊技者に指示する構成としてある。
【００１５】
スロットマシン１は、ランプ２，上部化粧板３，前面パネル４，操作部５，下部化粧板６及びメダル払出し部７とからなっている。
スロットマシン１は、前面パネル４のほぼ中央部に、表示窓４０及び告知ランプ６０が取り付けられている。この表示窓４０の内部には、左側から順に第一回胴４１，第二回胴４２，第三回胴４３が並設されている。また、表示窓４０の表面には、投入メダル数に応じて選択される水平方向三本とクロス方向二本の計五本の当選ライン４０ａが描かれている。
【００１６】
これら回胴４１，４２，４３は、遊技者がスタートレバー５０を操作すると、上から下に回転を開始する。そして、各回胴４１，４２，４３が所定の回転数に到達した後、遊技者が各停止ボタン５１，５２，５３を押すと、対応する各回胴４１，４２，４３はそれぞれ停止する。
【００１７】
スロットマシン１は、操作部５の上面右端に、メダル投入口５４が設けられている。また、操作部５の正面左端に、スタートレバー５０が突設してある。
さらに、操作部５の正面ほぼ中央部に、上記回胴４１，４２，４３をそれぞれ停止させる第一停止ボタン５１，第二停止ボタン５２，第三停止ボタン５３が左から順に並設してある。
【００１８】
ここで、各停止ボタン５１，５２，５３は、前面パネル４の下の操作部５に配設してあり、内部に内蔵ランプ５１ａ，５２ａ，５３ａからなる、押下タイミング指示手段としての光発生器が埋設してあり、これら内蔵ランプからの光を外部に照射する。
なお、光発生器は、ランプに限定されるものではなく、たとえば、ＬＥＤやＥＬなどを用いてもよい。
【００１９】
次に、この内蔵ランプ５１ａ，５２ａ，５３ａを点滅させる構成について、図２を参照して説明する。
スロットマシン１は、コントロール部１０の内部当り抽選部（図示せず）において内部当りに当選すると、コントロール部１０が、内部当り信号を内部当り信号検出回路１１に出力するとともに、告知ランプ６０を点滅させる。
また、内部当り信号検出回路１１は、内部当り信号を入力すると、内蔵ランプドライバ回路１３をオン状態とする。
【００２０】
ランプ制御回路１２は、コントロール部１０から、内部当りに当選したボーナスゲーム当り図柄が揃うように各停止ボタン５１，５２，５３を押下するタイミング信号を入力し、このタイミング信号を内蔵ランプドライバ回路１３に出力する。
また、内蔵ランプドライバ回路１３は、タイミング信号にもとづいて、ボーナスゲーム当り図柄が揃うような周期で、内蔵ランプ５１ａ，５２ａ，５３ａを点滅させる。
【００２１】
なお、内蔵ランプ５１ａ，５２ａ，５３ａを点滅させる構成は、上記構成に限定されるものではなく、たとえば、内部当り信号検出回路１１、ランプ制御回路１２、内蔵ランプドライバ回路１３の機能をコントロール部１０が備え、コントロール部１０が直接内蔵ランプ５１ａ，５２ａ，５３ａを点滅させる構成としてもよい。
【００２２】
また、内部当りに当選したことは、遊技者にとって、大きな喜びを感じる瞬間であることから、この瞬間をより刺激的に演出するため、初めに内蔵ランプ５１ａ，５２ａ，５３ａ全てを点灯させ、その後、ボーナスゲーム当り図柄が揃うような周期で点滅させてもよい。なお、内蔵ランプ５１ａ，５２ａ，５３ａの全てを一緒に点滅させたり、又は、各内蔵ランプ５１ａ，５２ａ，５３ａを押す順番に一つずつ点滅させてもよい。
【００２３】
さらに、内蔵ランプ５１ａ，５２ａ，５３ａの色を異ならせたり、あるいは、各ランプごとに複数色のランプを用いて、ボーナスゲームの種類に応じてランプの色を変えてもよい。
なお、内蔵ランプ５１ａ，５２ａ，５３ａの構成や点滅手順は、上記構成に限定されるものでないことは勿論である。
また、各停止ボタン５１，５２，５３は、押下されるとそれぞれ停止信号をコントロール部１０に出力する。
【００２４】
次に、上記構造のスロットマシン１の動作及び遊技者の遊技動作について説明する。
まず、遊技者はスロットマシン１にメダルを投入し、スタートレバー５０を上方から下方に叩くように操作しゲームを開始する。
スロットマシン１は、内部当り抽選部が所定のタイミング（例えば、スタートレバー，第一停止ボタン，第二停止ボタンあるいは第三停止ボタンの押下時など）で内部当りの抽選を行い、内部当りに当選すると、告知ランプ６０を点灯するとともに、各停止ボタン５１，５２，５３の内蔵ランプ５１ａ，５２ａ，５３ａが一斉に点灯し、遊技者にボーナスゲームの内部当りに当選したことを知らせる。
【００２５】
続いて、スロットマシン１は、内蔵ランプ５１ａがボーナスゲーム当り図柄の揃う押下タイミングで点滅する。そして、遊技者は、点滅するタイミングを計りながら停止ボタン５１を押下する。すると、停止ボタン５１から停止信号がコントロール部１０に出力され、第一回胴４１が停止する。
同様に、遊技者は、内蔵ランプ５２ａ，５３ａの点滅にしたがって、停止ボタン５２，５３を押下し、回胴４２，４３を停止させる。
【００２６】
このように、スロットマシン１は、ボーナスゲーム内部当りが発生すると、停止ボタン５１，５２，５３に内蔵された内蔵ランプ５１ａ，５２ａ，５３ａが点滅するので、目押しのできない遊技者であっても、点灯した瞬間に停止ボタン５１、５２，５３を押すことにより、ボーナスゲーム当り図柄を揃えることができる。
【００２７】
また、本実施形態では、停止ボタン５１，５２，５３に内蔵ランプ５１ａ，５２ａ，５３ａを設ける構成としたが、これに限定されるものではなく、たとえば、上記内蔵ランプの代りに，又は，上記内蔵ランプとともに、上部化粧板３のランプ２を点滅させる構成としてもよい。
【００２８】
さらに、内蔵ランプ５１ａ，５２ａ，５３ａは、ボーナスゲーム中は、ボーナスゲームの当選図柄を揃えるタイミングで点滅する構成としてもよく、このようにすると、ボーナスゲーム全てを取りこぼすことなく入賞させることができ、目押しできないハンデを解消することができる。
【００２９】
［第二実施形態］
図３は、本発明の第二実施形態にかかるスロットマシンの概略側面図を示している。
また、図４は、第二実施形態にかかるスロットマシンの目押し補助機能を説明するための概略ブロック図を示している。
図３に示すように、本実施形態にかかるスロットマシン１ａは、内部当り抽選部で内部当りに当選すると、コントロール部１０，内部当り信号検出回路１１，ストップ音発生器１４及びスピーカ・イヤホーンドライブ回路１６が、スピーカ８とイヤホーン８１の少なくともいずれか一方からストップ音を出力して、各回胴４１，４２，４３をボーナスゲーム当り図柄で揃える押下タイミングを、聴覚を通じて遊技者に指示する構成としてある。
【００３０】
また、スピーカ８は、例えば、スロットマシン１ａのメダル払出し部７の上部に設けられており、イヤホーン８１は、下部化粧板６の下部に設けられた構成としてある。
【００３１】
本実施形態では、押下タイミング指示手段として、スピーカ８とイヤホーン８１を備えた構成としてあるが、これに限定されるものではなく、たとえば、スピーカ８又はイヤホーン８１のいずれか一方を備えた構成としてもよい。
なお、本発明においては、ヘッドホーンもイヤホーン８１と同等に機能するので、イヤホーンとは、ヘッドホーンを包含した意味で使用している。
【００３２】
次に、このスピーカ８とイヤホーン８１からストップ音を出力する構成について、図４を参照して説明する。
スロットマシン１ａは、内部当り抽選部において内部当りに当選すると、コントロール部１０が、内部当り信号を内部当り信号検出回路１１に出力するとともに、告知ランプ６０を点灯させる。
内部当り信号検出回路１１は、内部当り信号を入力すると、内部当りしたボーナスゲームの種類を確認し、音声切替回路１５をストップ音に切り替える。
【００３３】
コントロール部１０は、内部当りに当選したボーナスゲーム当り図柄が揃う各停止ボタン５１，５２，５３を押下するタイミング信号を生成し、このタイミング信号をストップ音発生器１４に出力する。
また、ストップ音発生器１４は、タイミング信号にもとづいて、各停止ボタン５１，５２，５３を押下するタイミングを指示するストップ音信号を生成し、音声切替回路１５を介してストップ音信号を入力したスピーカ・イヤホーンドライブ回路１６は、各ストップ音を発生させる。
【００３４】
ストップ音としては、たとえば、「第一回胴（左回胴）、ピ、ピ、ピ」を繰り返すストップ音としてもよく、この場合、「ピ」と鳴った瞬間が停止ボタン５１を押下するタイミングとなる。そして、遊技者が停止ボタン５１を押下すると、第一回胴のストップ音から、「第二回胴（中央回胴）、ピ、ピ、ピ」といった第二回胴に対するストップ音に切り替わる。続いて、遊技者が停止ボタン５２を押下すると、第二回胴のストップ音から、「第三回胴（中央回胴）、ピ、ピ、ピ」といった第三回胴に対するストップ音に切り替わる。
【００３５】
また、各回胴ごとにストップ音の周波数を異ならせて、すなわち、ストップ音の音色を異ならせることによって、いずれの回胴に対するストップ音かを識別する構成としてしてもよい。
【００３６】
さらに、ストップ音は、上記構成に限定されるものではなく、たとえば、「第一回胴（左回胴）、ピ、ピ、ピ、ポー」と時報のようなストップ音を出力する構成としてもよく、この場合は、「ポー」と鳴った瞬間が停止ボタン５１を押下するタイミングとなる。
すなわち、スロットマシン１ａは、押下タイミング指示手段が、押下タイミングを指示する際、遊技者に準備を促す音声（ピ、ピ、ピ）からなる準備タイミング信号を出力する構成としてある。このようにすると、遊技者は、より簡単にかつ精度よく、ボーナスゲーム当り図柄を揃えることができる。
【００３７】
なお、準備タイミング信号は、音声の場合に限定するものではなく、光や振動を含む準備タイミング信号としてもよいことは勿論である。また、準備タイミング信号は、回胴が約０．８秒で一回転することから、遊技者が準備できるタイミング、たとえば、約０．８〜１秒前後の間隔で準備を促す信号（音声の場合は、「ピ」の音）を出力する。
さらに、本実施形態では、ストップ音をコントロール部１０が制御する構成としてあるが、これに限定されるものではなく、たとえば、別個にストップ音制御回路を設けてもよい。
また、その他の構造については、第一実施形態のスロットマシン１とほぼ同様としてある。
【００３８】
このように、スロットマシン１ａは、内部当りに当選すると、各停止ボタン５１，５２，５３の押下タイミングを指示するストップ音を、スピーカとイヤホーンから出力するので、目押しのできない遊技者であっても、ストップ音に合わせて各停止ボタンを押すと、ボーナスゲーム当り図柄を揃えることができる。なお、視覚に障害のある遊技者であっても、スロットマシンゲームを楽しむことができる。
【００３９】
また、スロットマシン１ａは、ストップ音とともに内蔵ランプが点滅するので、聴覚又は視覚のいずれか一方だけを利用する場合より、各回胴を停止させるタイミングをより確実に指示することができる。
なお、本実施形態では、視覚及び聴覚を通じて、遊技者に停止ボタンを押すタイミングを指示しているが、上記構成に限定されるものではなく、たとえば、内蔵ランプ５１ａ，５２ａ，５３ａと併用しないで、ストップ音だけで、各停止ボタンを押すタイミングを指示してもよい。
【００４０】
また、スロットマシン１ａは、押下タイミング指示手段として、ストップ音及び内蔵ランプからのランプ光を利用しているが、これらとともに、振動発生器から発せられる振動を利用してもよく、このようにすると、各回胴を停止させるタイミングをさらに確実に指示することができる。
また、スロットマシン１ａは、押下タイミング指示手段として、ストップ音と振動を利用した構成としてもよいことは勿論である。
【００４１】
なお、図示してないが、上記振動発生器は、たとえば、各停止ボタン５１，５２，５３ごとに配設され、各停止ボタン５１，５２，５３を押下するタイミングで、押下方向に対してほぼ垂直方向に一回叩くような振動を各停止ボタン５１，５２，５３に与える構成としてもよい。このようにすることにより、押されると作動する停止ボタン５１，５２，５３が、振動発生器からの振動により誤動作することを防止するとともに、遊技者に押下するタイミングをより迅速かつ正確に伝えることができる。
【００４２】
［第三実施形態］
図５は、本発明の第三実施形態にかかるスロットマシンの概略側面図を示している。
また、図６は、第三実施形態にかかるスロットマシンの目押し補助機能を説明するための概略ブロック図を示している。
図５に示すように、本実施形態にかかるスロットマシン１ｂは、内部当り抽選部で内部当りに当選しても、押下タイミングを指示する機能を作動させるか否かを選択するモード切替スイッチ９を設けた構成としてある。
【００４３】
このモード切替スイッチ９がオフされると、図６に示すように、内部当り信号検出回路１１が作動しないので、スロットマシン１ｂは、押下タイミングを指示するランプ光やストップ音を出力できず、目押し補助機能を発揮することはできなくなる。
【００４４】
また、スロットマシン１ｂは、図６に示すように、押下タイミングを指示する内蔵ランプ５１ａ，５２ａ，５３ａのランプ光や、スピーカ８とイヤホーン８１からのストップ音を、遊技者が認識してから停止ボタン５１，５２，５３を押下するまでのタイムラグを調整する時間調整回路９１を設けた構成としてある。
スロットマシン１ｂは、内部当りに当選していないとき、停止ボタン５１，５２，５３が押下されると、コントロール部１０が回胴制御回路９３へ回胴制御信号を出力し、回胴制御回路９３が押下されたときの図柄から例えば６番目の図柄で回胴４１，４２，４３を停止させる。
【００４５】
これに対し、スロットマシン１ｂは、内部当りに当選すると、回胴回転遅延切替回路９２が内部当り信号検出回路１１からの切替信号を入力し、時間調整回路９１が接続される。そして、時間調整回路９１は、コントロール部１０から回胴制御信号を入力すると、時間調整した回胴制御信号を回胴制御回路９３に出力する。
次に、回胴制御回路９３は、時間調整した回胴制御信号を入力すると、各回胴４１，４２，４３を、コンマ数秒分だけ位相を遅らせ、かつ、回転数を変えないように回転させる。
【００４６】
また、コントロール部１０は、時間調整されていない回胴制御信号に対する各回胴４１，４２，４３の回転を認識している。
すなわち、コントロール部１０が認識している各回胴４１，４２，４３の回転は、実際に回転している各回胴４１，４２，４３の回転に対して、位相がコンマ数秒分だけ進んでおり、かつ、回転速度は変わらない回転としてある。
【００４７】
このようにすると、押下タイミングを指示するランプ光やストップ音は、実際に回転している各回胴４１，４２，４３の回転に対する押下タイミングより、コンマ数秒分だけ進んだ状態で出力される。すなわち、時間調整回路９１は、遊技者がランプ光やストップ音に対してコンマ数秒遅れて反応したとしても、この遅れを解消しボーナスゲーム当り図柄を揃える確率を高めることができる。
なお、その他の構造については、第二実施形態のスロットマシン１ａとほぼ同様としてある。
【００４８】
このように、スロットマシン１ｂは、ランプ光やストップ音に対する遊技者の反応速度の遅れを解消し、ボーナスゲーム当り図柄を揃える確率をより高めることができる。したがって、反射神経が衰えた年配の遊技者にとっては、せっかくランプ光やストップ音で押下タイミングを指示してもらっても、反応が遅れてしまい目押しを失敗するといった不具合を解消することができる。
また、目押しのできる遊技者にとっては、モード切替スイッチ９をオフすることにより、目押し補助機能を解除することができるので、慣れ親しんだ従来通りのスロットマシンゲームを楽しむことができる。
【００４９】
以上、本発明のスロットマシンについて、好ましい実施形態を示して説明したが、本発明に係るスロットマシンは、上述した実施形態にのみ限定されるものではなく、本発明の範囲で種々の変更実施が可能であることは言うまでもない。
例えば、押下タイミング指示手段は、光のみ，音声のみ，振動のみ，光と音声，音声と振動，振動と光，又は，光と音声と振動のいずれかを利用する構成としてあればよい。
【００５０】
【発明の効果】
以上説明したように本発明のスロットマシンによれば、目押しのできない遊技者に対して、ボーナスゲーム内部当りが発生したとき、ボーナスゲーム当り図柄で揃うように、ランプ光やストップ音で停止ボタンの押下タイミングを指示することができる。
これにより、目押しのできない初心者や動体視力の衰えたお年寄りの遊技者に、ボーナスゲーム当り図柄を揃えるといった幸福感を与えることができるとともに、目押しができないために遊技意欲を失ったり、スロットマシンを敬遠するといった不具合を解消することができる。
【図面の簡単な説明】
【図１】図１は、本発明の第一実施形態にかかるスロットマシンの概略正面図を示している。
【図２】図２は、第一実施形態にかかるスロットマシンの目押し補助機能を説明するための概略ブロック図を示している。
【図３】図３は、本発明の第二実施形態にかかるスロットマシンの概略側面図を示している。
【図４】図４は、第二実施形態にかかるスロットマシンの目押し補助機能を説明するための概略ブロック図を示している。
【図５】図５は、本発明の第三実施形態にかかるスロットマシンの概略側面図を示している。
【図６】図６は、第三実施形態にかかるスロットマシンの目押し補助機能を説明するための概略ブロック図を示している。
【符号の説明】
１，１ａ，１ｂ　スロットマシン
２　ランプ
３　上部化粧板
４　前面パネル
５　操作部
６　下部化粧板
７　メダル払出し部
８　スピーカ
９　モード切替スイッチ
１０　コントロール部
１１　内部当り信号検出回路
１２　ランプ制御回路
１３　内蔵ランプドライバ回路
１４　ストップ音発生器
１５　音声切替回路
１６　スピーカ・イヤホーンドライブ回路
４０　表示窓
４０ａ　当選ライン
４１　第一回胴
４２　第二回胴
４３　第三回胴
５０　スタートレバー
５１　第一回胴停止ボタン
５１ａ　内蔵ランプ
５２　第二回胴停止ボタン
５２ａ　内蔵ランプ
５３　第三回胴停止ボタン
５３ａ　内蔵ランプ
５４　メダル投入口
６０　告知ランプ
８１　イヤホーン
９１　時間調整回路
９２　回胴回転遅延切替回路
９３　回胴制御回路
【図１】
2004073513.tif 000003
【図２】
2004073513.tif 000004
【図３】
2004073513.tif 000005
【図４】
2004073513.tif 000006
【図５】
2004073513.tif 000007
【図６】
2004073513.tif 000008